(57)【要約】【課題】高層住宅のベランダに設置され、ビル風が吹いても傾くことなくベランダに堅固に支持された工事用足場を提供すること。【解決手段】工事用足場Ｍは、ベランダ床面４とベランダ天井壁５とを突っ張るように構成される単体ユニット１０を少なくとも３基並設して１足場ユニット１を構成し、足場ユニット１に足場台１６を架け渡すことにより構成する。単体ユニット１０は、下部胴体部１１１と上部胴体部１１２とを備える胴体部１１と、ベランダ床面４に設置可能なベース部１２と、ベランダ天井壁５を押圧可能な押圧部１３と、胴体部１１からベランダ外壁６の外方に突出する足場台用ステー１５とを備えて構成する。押圧部１３は、ベランダ室内側からベランダ室外側に沿って並設する第１の押圧部１８と第２の押圧部１９とを備える。また、足場ユニット１の各足場台用ステー１５の先端部に足場台１６を架け渡す。【選択図】図１
2010133154.tif 000002
【特許請求の範囲】
【請求項１】
高層住宅のベランダに設置する工事用足場であって、
前記ベランダは、ベランダ床面とベランダ天井壁とベランダ側壁とからなり、
前記ベランダ床面に当接するベース部と、前記ベース部から立ち上がる胴体部と、前記胴体部の上方に配設されて前記ベランダ天井壁に押圧可能な押圧部と、前記胴体部から前記ベランダ外壁の外方に突出して配設される足場台用ステーと、を備えて前記工事用足場の単体ユニットが構成され、
前記押圧部は、前記胴体部の上面全体にわたって支持されるとともに、前記胴体部の上方延長線上に配設される第１の押圧部と、前記第１の押圧部からベランダ室内側に向かって突出して配設される第２の押圧部と、を有し、
前記第１の押圧部は、第１の昇降手段で昇降可能な第１の押圧部材を備え、前記第２の押圧部は、第２の昇降手段で昇降可能な第２の押圧部材を備え、
前記第１の押圧部材は、前記ベランダ室内側からベランダ室外側に向かって長尺となるような面を有して前記ベランダ天井壁に面接触可能に形成され、
前記単体ユニットが、前記ベランダ床面の長手方向に沿って、少なくとも３基並設して足場ユニットが構成され、
前記足場ユニットにおいて、それぞれの前記足場台用ステーの先端部に、足場台が架け渡されていることを特徴とする工事用足場。
【請求項２】
前記第２の押圧部材は、前記ベランダ天井壁に面接触可能に形成されていることを特徴とする請求項１記載の工事用足場。
【請求項３】
前記第２の押圧部は、前記第１の押圧部に対して、前記ベランダ室内側に向かう方向に移動可能なアームに装着されていることを特徴とする請求項１又は２記載の工事用足場。
【請求項４】
前記胴体部は、前記ベース部側に配設される下部胴体部と、前記下部胴体部に着脱可能な上部胴体部と、を有し、前記上部胴体部は前記下部胴体部に対して高さ調整可能に配設されていることを特徴とする請求項１，２又は３のいずれかに記載の工事用足場。
【請求項５】
前記足場台用ステーが、複数の補強材を連続的に配設した骨組み構造で構成されていることを特徴とする請求項１，２，３又は４のいずれかに記載の工事用足場。
【請求項６】
前記足場台用ステーは、前記単体ユニットのそれぞれの前記胴体部の前後面を連結する一対の横ステーに支持されていることを特徴とすることを特徴とする請求項５記載の工事用足場。
【請求項７】
前記足場ユニットに配設される前記足場台は、隣り合う前記足場ユニットに配設される前記足場台と、前記足場ユニットの端部に配設された足場台用ステーにおいて、ジョイント部材で連結可能に構成されていることを特徴とする請求項１，２，３，４又は５のいずれかに記載の工事用足場。
【請求項８】
前記足場台には、複数本の縦支柱が配設され、前記縦支柱が上下階のいずれかの前記ベランダに配設された足場台に連結可能に構成されていることを特徴とする請求項１，２，３，４，５，６又は７のいずれかに記載の工事用足場。
【請求項９】
前記胴体部は角筒状に形成されるとともに、前記足場台用ステーは前記胴体部の上部に配設されて角筒状に形成されていることを特徴とする請求項１，２，３又は４のいずれかに記載の工事用足場。
【請求項１０】
少なくとも隣り合う２基の前記単体ユニットの胴体部には、前記足場台用ステーと前記胴体部とに支持される支持板がそれぞれ配設され、それぞれの前記支持板を架け渡す踏み台を有して階段が構成されていることを特徴とする請求項９記載の工事用足場。
【発明の詳細な説明】
【技術分野】
【０００１】
本発明は、高層住宅又は超高層住宅等におけるベランダに設置してベランダ側壁の清掃工事や改修工事を行うための工事用足場に関する。この工事用足場は、ベランダの長手方向が短く移動足場として使用できない場所や、あるいは、ベランダの長さが短くても障壁がなく移動できる場所や、さらには地上から積み上げて構成するピケ足場として使用できない場所に好適に使用することができる。
【背景技術】
【０００２】
地上２０階以上を越える高層住宅や超高層住宅でのベランダ側壁の清掃工事や改修工事等の外壁工事を行う場合、高層で発生するビル風が建物に当たって舞い上がったり、また吹き抜けたりすることによって、地上では考え難い風の影響を受けやすい。このため、従来から行われていたベランダ側壁工事、例えば、屋上からゴンドラを吊り下げて行う作業は、危険が大きいことから実施できにくい状況にあった。近年、超高層住宅が立ち並ぶ中、ベランダ側壁工事の際にゴンドラの落下する事故が発生している。また、地上から積み上げて構成するピケ足場の場合、高層住宅の場合では、足場作りが大掛かりな作業となって工事の長期化又は莫大な工事費用がかかり、現実には足場を構成することに無理が生じていた。
【０００３】
このことから、従来においては、特許文献１に知られるように、ベランダで組み付けることができる足場が提供されていた。これによると、足場は、ベランダの床面と天井壁とを突っ張るように支持する支柱を設けて足場本体を構成し、足場本体からベランダ外側に、張り出し枠体を突出させて作業枠体としていた。これによって、足場本体を簡略化することができるとともに、工期も短くすることができ、工事費用も廉価にすることができることとなっていた。
【特許文献１】特開平１１−２２３０１２公報
【発明の開示】
【発明が解決しようとする課題】
【０００４】
しかし、高層住宅が２０階を越えて５０階以上に至る、いわゆるタワー型超高層マンション群では、冒頭に述べた、ビル風の影響を大いに受けることとなり、少しでも危険な作業を想定できるような構成にすることはできない。つまり１００％近い安全な足場を構成する必要があり、また、工事の長期化を防止して廉価な費用で提供できる足場でなくてはならなかった。
【０００５】
特許文献１の足場では、確かに簡略された構成の足場が開示されているものの、１００％近い安全な足場とはいえない。つまり、ベランダ天井壁とベランダ床面とを突っ張って支持する支柱は、ベランダ床面に接地する４本とベランダ天井壁に接地するベランダ室内側の端部２本の上部支柱で構成されている。また、作業を行うための張り出し枠は、上段枠の外側部分からスライド可能又は回動可能に張出しているから組立作業は利便に構成されているものの、万が一、天井壁を突っ張っている支柱が破損した場合には、ベランダ天井壁に干渉する部位がなくなり、張り出し枠体にかかる曲げモーメントにより足場自体がベランダの外側に大きく傾く。張り出し枠が傾くことによって、最悪の場合には、足場自体が落下する虞を生じ、また落下しないまでも、張り出し枠に仮置きした道具や金具等が落下する虞がある。たとえ小さなものでも、高層住宅の上層階から落下したものは、地上に達する際には、加速度を大きくして事故の要因となりやすい。したがって、上記のような高層住宅で清掃工事や改修工事を行うための足場としては、足場の破損防止はもちろんのこと、例えば、ベランダに設置した足場が何らかの要因で傾くような場合においても、その傾きを最小限にできるように構成して１００％近い安全を第１に考慮することが特に必要となっていた。
【課題を解決するための手段】
【０００６】
本発明は、上述の課題を解決するものであり、ビル風が発生してもベランダ床面とベランダ天井壁との間に堅固に配置されて安全に構成された工事用足場を提供することを目的とする。そのため、本発明に係る工事用足場は、以下のように構成するものである。すなわち、
請求項１記載の発明は、高層住宅のベランダに設置する工事用足場であって、前記ベランダは、ベランダ床面とベランダ天井壁とベランダ側壁とからなり、前記ベランダ床面に当接するベース部と、前記ベース部から立ち上がる胴体部と、前記胴体部の上方に配設されて前記ベランダ天井壁に押圧可能な押圧部と、前記胴体部から前記ベランダ側壁の外方に突出して配設される足場台用ステーと、を備えて前記工事用足場の単体ユニットが構成され、前記押圧部は、前記胴体部の上面全体にわたって支持されるとともに、前記胴体部の上方延長線上に配設される第１の押圧部と、前記第１の押圧部からベランダ室内側に向かって突出して配設される第２の押圧部と、を有し、前記第１の押圧部は、第１の昇降手段で昇降可能な第１の押圧部材を備え、前記第２の押圧部は、第２の昇降手段で昇降可能な第２の押圧部材を備え、前記第１の押圧部材は、前記ベランダ室内側からベランダ室外側に向かって長尺となるような面を有して前記ベランダ天井壁に面接触可能に形成され、前記単体ユニットが、前記ベランダ床面の長手方向に沿って、少なくとも３基並設して足場ユニットが構成され、前記足場ユニットにおいて、それぞれの前記足場台用ステーの先端部に、足場台が架け渡されていることを特徴とするものである。
【０００７】
請求項２記載の発明は、請求項１の発明に係るものであって、前記第２の押圧部材は、前記ベランダ天井壁に面接触可能に形成されていることを特徴としている。
【０００８】
請求項３記載の発明は、請求項１又は２の発明に係るものであって、前記第２の押圧部は、前記第１の押圧部に対して、前記ベランダ室内側に向かう方向に移動可能なアームに装着されていることを特徴としている。
【０００９】
請求項４記載の発明は、請求項１，２又は３のいずれかに発明にかかわるものであって、前記胴体部は、前記ベース部側に配設される下部胴体部と、前記下部胴体部に着脱可能な上部胴体部と、を有し、前記上部胴体部は前記下部胴体部に対して高さ調整可能に配設されていることを特徴としている。
【００１０】
請求項５記載の発明は、請求項１乃至４のいずれかの発明に係るものであって、前記足場台用ステーが、複数の補強材を連続的に配設した骨組み構造で構成されていることを特徴としている。
【００１１】
請求項６記載の発明は、請求項５の発明に係るものであって、前記足場台用ステーは、前記単体ユニットにおけるそれぞれの前記胴体部の前後面を連結する一対の横ステーに支持されていることを特徴とすることを特徴としている。
【００１２】
請求項７記載の発明は、請求項１乃至５のいずれかの発明に係るものであって、前記足場ユニットに配設される前記足場台は、隣り合う前記足場ユニットに配設される前記足場台と、前記足場ユニットの端部に配設された足場台用ステーにおいて、ジョイント部材で連結可能に構成されていることを特徴としている。
【００１３】
請求項８記載の発明は、請求項１乃至７のいずれかの発明に係るものであって、前記足場台には、複数本の縦支柱が配設され、前記縦支柱が上下階のいずれかの前記ベランダに配設された足場台に連結可能に構成されていることを特徴としている。
【００１４】
請求項９記載の発明は、請求項１乃至４のいずれかの発明に係るものであって、前記胴体部は角筒状に形成されるとともに、前記足場台用ステーは前記胴体部の上部に配設されて角筒状に形成されていることを特徴としている。
【００１５】
請求項１０記載の発明は、請求項９の発明に係るものであって、少なくとも隣り合う２基の前記単体ユニットの胴体部には、前記足場台用ステーと前記胴体部とに支持される支持板がそれぞれ配設され、それぞれの前記支持板を架け渡す踏み台を有して階段が構成されていることを特徴としている。
【発明の効果】
【００１６】
本発明の請求項１の構成によれば、押圧部を備えた単体ユニットを少なくとも３基備えて足場ユニットが構成され、足場ユニットの各足場台用ステーに足場台を架け渡すことによって工事用足場が構成されている。各単体ユニットにおいて、ベランダ天井壁を押圧する押圧部には、ベランダ室内側からベランダ室外側に向かって、第１の押圧部と第２の押圧部とが並設されている。そのため、下部においてベース部がベランダ床面に当接し、上部において胴体部の上面全体にわたって支持された押圧部によりベランダ天井壁を２箇所で押圧することになり、単体ユニットをベランダ内で強固に支持することができる。これによって３基の単体ユニットで構成する足場ユニットは、ベランダ内で強固に支持されることになる。したがって、ベランダ側壁の外方に突出した各足場台用ステーに足場台を架け渡し、架け渡した足場台に作業者が載っても、工事用足場は傾くことなく作業者は安全な作業を行うことができる。
【００１７】
さらに、第１の押圧部材は、ベランダ室内側から室外側に向かって長尺となるような面を有してベランダ天井壁に当接しているから、各単体ユニットが傾き易い方向に対して防護することができる。
【００１８】
また、本発明の請求項２の構成によれば、第２の押圧部材もベランダ天井壁に面接触可能に形成されていることから、離隔して配置された第１の押圧部と第２の押圧部の２箇所でベランダ天井壁を面接触で押圧することになり、各単体ユニットは、ベランダ側壁から落下する方向には傾き難い。
【００１９】
また、本発明の請求項３の構成によれば、第２の押圧部材は第１の押圧部材に対して、ベランダ室内側に向かって移動可能なアームに装着されている。そのため、ベランダの幅寸法が異なる高層住宅であっても、各ベランダの幅寸法に合わせて、ベランダ天井壁の適度な位置で係止できるように調整することができる。
【００２０】
本発明の請求項４の構成によれば、胴体部を構成する上部胴体部が下部胴体部に着脱可能に構成されているから、工事用足場を作業する階層に移動する際、上部胴体部と下部胴体部とを分割することによって、持ち運びを容易にすることができる。
【００２１】
本発明の請求項５の構成によれば、足場台用ステーを、トラス構造やラーメン構造等の骨組み構造で構成しているから、足場台用ステーの強度を高くしている。そのため、足場台用ステーの先端部に作業者が載って、曲げモーメントがかかっても、足場台用ステーは破損しにくく、安全な作業を行うことができる。
【００２２】
本発明の請求項６の構成によれば、足場台用ステーは、各単体ユニットのそれぞれの胴体部の前後面に装着する一対の横ステーに支持されていることから、足場台用ステーの傾きを防止することができる。
【００２３】
本発明の請求項７の構成によれば、この工事用足場は、ベランダの長さによって、複数の足場ユニットを設置することができる。この場合、足場ユニットの端部に配設された足場台用ステーで隣り合う足場ユニットの足場台をジョイント部材で連結する。つまり、ジョイント部材は足場台用ステー上で支持されていることから、足場台の端部が撓むことなく、隣り合う足場台と安定して接続することができる。
【００２４】
本発明の請求項８の構成によれば、足場ユニットを同時に、上下階のいずれかのベランダに設置して、縦支柱で連結することによって、上下階のいずれかのベランダの外壁工事を同時に行えるとともに、階層の異なるベランダに設置された足場ユニットを連結するので、一対の工事用足場でベランダを挟持することになり、足場ユニットはさらに強固に支持されることとなる。そのため、足場ユニットが傾いて落下することをさらに防止することができる。
【００２５】
本発明の請求項９の構成によれば、ベランダの長さが短い場所であれば、工事用足場は、１足場ユニットで構成される。この場合、胴体部を角筒状に形成して足場台用ステーを胴体部の上部から外方に突出するように装着する。また、足場台用ステーを、トラスでなく単に角筒状のもので構成してもよい。角筒状の足場台用ステーは、１人の作業者を支持する強度を充分に備えている。
【００２６】
本発明の請求項１０の構成によれば、請求項９の発明に係る工事用足場には、階段が設置されている。つまり、少なくとも２基の胴体部と足場台用ステーとに支持板を装着し、一対の支持板に踏み台を架け渡すことによって、階段を構成することができる。足場台用ステーを胴体部の上部に配設しているから、階段を設けることによって足場台に容易に上ることができる。
【発明を実施するための最良の形態】
【００２７】
次に、本発明の工事用足場に係る実施形態を図面に基づいて説明する。本発明の工事用足場は、ビル風が吹き付ける超高層住宅に設置する足場として好適に使用できるものであるが、もちろん超高層住宅でなくても、ベランダが設置されている高層住宅にも適用することができる。なお、ベランダは、ベランダ床面と、ベランダ天井壁と、ベランダ側壁とからなるものとする。なお、以下の説明では、ベランダにおける部屋側をベランダ室内側といい、部屋から遠ざかる方向をベランダ室外側という。また、足場におけるベランダ室内側からベランダ室外側を前後方向といい、ベランダ床面に沿って移動する方向をベランダの長手方向あるいは長さ方向という。
【００２８】
図１は第１実施形態の工事用足場(以下、単に足場という)Ｍを示す一部を簡略化した全体斜視図であり、図２はその正面図である。足場Ｍは、ベランダ３のベランダ床面４とベランダ天井壁５を突っ張るように配置され、ベランダ側壁６の外側でベランダ側壁６の清掃工事や改修工事を行うように構成されている。また、この足場Ｍは、超高層住宅で作業を行うために、例えば、ビル風にあおられても、傾くことなくまた落下することのないように、ベランダ３に強固に支持されて安全な作業を行えるように構成されている。
【００２９】
図１〜２に示すように、第１実施形態の足場Ｍは、ベランダ床面４とベランダ天井壁５とを突っ張るように構成される単体ユニット１０を少なくとも３基並設して１足場ユニット１を構成し、足場ユニット１に足場台１６を架け渡すことにより構成されている。
【００３０】
単体ユニット１０は、胴体部１１と、胴体部１１を間にしてベランダ床面４に当接するベース部１２と、ベランダ天井壁５に当接してベランダ天井壁５を押圧する押圧部１３とを備えている。また、胴体部１１の前後面には、３基の単体ユニット１０の胴体部１１を架け渡す横ステー１４が一対装着されている。一対の横ステー１４には、胴体部１１からベランダ側壁６の外方に突出する足場台用ステー１５の一端が配置され、３基の単体ユニット１０の足場台用ステー１５の先端側には、足場台１６が各足場台用ステー１５上を架け渡すように配置されている。
【００３１】
胴体部１１は、下部胴体部１１１と上部胴体部１１２とに分割されて、上部胴体部１１２が下部胴体部１１１に着脱可能に構成されている。下部胴体部１１１は、内部が中空状の矩形枠体状に形成されていればよく、例えば、図２〜３に示すように、４隅に等辺山形鋼で形成する４個のＬ字状支柱１１１ａを立設して形成されている。４個のＬ字状支柱１１１ａの上端部には、各Ｌ字状支柱１１１ａの外面を各片で連結する４個の連結板１１３が配置され、下端部には、各Ｌ字状支柱１１１ａの外面を各片で連結する４個の連結板１１４が配置されている。各Ｌ字状支柱１１１ａには、縦方向に沿って複数の挿通孔１１１ｂが形成されている。
【００３２】
上部胴体部１１２は、図３に示すように、４隅に下部胴体部１１１のＬ字状支柱１１１ａに内嵌するＬ字状支柱(等辺山形鋼）１１２ａを立設して形成されている。４個のＬ字状支柱１１２ａの上端部には、各Ｌ字状支柱１１２ａの外面を各片で連結する４個の連結板１１５（図２参照）が配置され、下端部には、各Ｌ字状支柱１１２ａの内面を各片で連結する４個の連結板１１６が配置されている。各Ｌ字状支柱１１２ａには、縦方向に沿って複数の挿通孔１１２ｂが形成されている。
【００３３】
上部胴体部１１２の各Ｌ字状支柱１１２ａは、下部胴体部１１１の各Ｌ字状支柱１１１ａ内に挿入され、適度な高さの位置において、各挿通孔１１１ｂ、１１２ｂの１箇所にボルト又はピンを挿通することにより締結される。これによって胴体部１１が形成される。
【００３４】
また、下部胴体部１１１には、前後面に、各単体ユニット１０の各下部胴体部１１１を連結するＬ字状の横ステー（等辺山形鋼）１４が固着されている。
【００３５】
横ステー１４上には、下部胴体部１１１からベランダ側壁６の外方に向かって延設する足場台用ステー１５の一端側が装着されている。足場台用ステー１５は、第１実施形態の場合、下部胴体部１１１の内部、つまりベランダ３の長さ方向に並設された２個のＬ字状支柱１１１ａ、１１１ａ間を通って配置されている。この足場台用ステー１５は、下部胴体部１１１の内部ではなく、外部側面を通るように配置してもよい。
【００３６】
ベース部１２は、胴体部１１を支持するベースプレート１２１とベースプレート１２１に螺合してベランダ床面４に接地するアジャスタ１２２とを備えている。アジャスタ１２２は、下部に、ベランダ床面４に面接触で設置する設置部１２２ａとベースプレート１２１に螺合するネジ部１２２ｂとを有して形成されて、ベースプレート１２１の４隅に配置されている。
【００３７】
押圧部１３は、図１〜２及び図４に示すように、上部胴体部１１２の上面全面にわたって配置する角筒状の押圧部ベース１７を備えている。押圧部ベース１７の直上には、第１の押圧部１８が配置され、第１の押圧部１８よりベランダ室内側に突出して第２の押圧部１９が配置されている。第２の押圧部１９は、押圧部ベース１７に移動可能に内嵌する角筒状のアーム２０の先端に装着されている。角筒状の押圧部ベース１７には、アーム２０の移動方向に沿って複数個の挿通孔１７１が形成され、アーム２０には、アーム２０の移動方向に沿って複数個の挿通孔２０１が形成されている。押圧部ベース１７の挿通孔１７１とアーム２０の挿通孔２０１の選択された１箇所の位置にボルトまたはピンを挿通することによって、第２の押圧部１９がベランダ天井壁５を押圧する位置、を調整することができる。
【００３８】
第１の押圧部１８は、詳細には、図４〜５に示すように、押圧部ベース１７の長手方向の略中間位置で昇降する主ジャッキ（第１の昇降手段）２１と、主ジャッキ２１の上面で、コ字状支持体２２に挿入された主押圧部材（第１の押圧部材）２３とを備えている。
【００３９】
実施形態の主ジャッキ２１は、自動車付属部品で使用されるパンダジャッキを採用している。もちろん、これに限定することなくシリンダを使用する油圧ジャッキあるいはそれ以外のねじ式によるジャッキであってもよい。コ字状支持体２２及び主押圧部材２３は、ベランダ室内側からベランダ室外側に向かう方向に長く形成されている。つまり、単体ユニット１０が、外方に傾く方向に曲げモーメントがかかった場合に、その曲げモーメントに対抗することができるように形成されている。また、主押圧部材２３は、直方体であってベランダ天井壁５に対して面接触可能に形成され、ベランダ天井壁５を押圧可能に配置されている。
【００４０】
第２の押圧部１９は、アーム２０の先端部に固着された雌ねじ部材２５と雌ねじ部材２５に螺合する雄ねじ部２６１を有する副押圧部材（第２の押圧部材）２６とを備えている。副押圧部材２６は、矩形板状に形成されてベランダ天井壁５に面接触可能に形成され、ベランダ天井壁５を押圧した後、ナット部材２７によってロック位置に固定される。
【００４１】
胴体部１１からベランダ側壁６の外方に延設する足場台用ステー１５は、実施形態の場合、図２〜３に示すように、骨組み構造で構成されている。つまり、ベランダ室内側からベランダ室外側に沿って、隙間を有して上下一対に配置するＬ字状部材を、その両端部を連結板で連結して構成する基枠１５１、１５１を背中合わせに一対配置し、その間に補強部材１５２を、連続したＶ字状に形成して一対の基枠１５１、１５１に固着して構成している。この場合、補強部材１５２に関し、複数の補強部材１５２を、節点を介してＶ字状に連接するとともに、その節点を滑節したトラス構造、あるいはまた、剛節で連結するラーメン構造に構成してもよい。
【００４２】
上述の単体ユニット１０を少なくとも３基備えて１足場ユニット１が構成される。この足場ユニット１の各単体ユニット１０における足場台用ステー１５に足場台１６を架け渡すことによって足場Ｍが構成される。足場台１６は、ベランダ側壁６の外壁工事を行う作業者が作業できる広さに形成されているものであれば、１枚の後述の床板パネルを足場台用ステー１５上に載置してもよく、また複数の床板パネルを並設したものであってもよい。
【００４３】
実施形態では、図６にその詳細を示すように、それぞれの足場台用ステー１５上に敷設板１５９を敷設する。敷設板１５９上に複数の角パイプ台１６０を各敷設板１５９に架け渡すように載置し、角パイプ台１６０上に２枚の床板パネル１６１を並設する。床板パネル１６１は、３枚以上であってもよい。なお、図６に示すように、床板パネル１６１に隣接して、足場台１６におけるベランダ室内側に角パイプ部材１６３を配置してもよい。
【００４４】
床板パネル１６１と角パイプ部材１６３を挟持するように、両側にＬ字状支柱１６２、１６２を一対配置する。一対のＬ字状支柱１６２、１６２は、それぞれ下辺部を対向するように配置して、２枚の床板パネル１６１と角パイプ部材１６３を隙間のないように当接させている。一対のＬ字状支柱１６２の外側には、Ｌ字状支柱１６２の上面より上方に突出する落下防止用カバー板１６４が装着されている。落下防止用カバー板１６４には、縦方向に開口する筒状部材１６５が所定位置に固着され、筒状部材１６５に防護柵２９が挿入される。防護柵２９は、図７に示すように、作業者が足場Ｍから落下する可能性のある場所（足場台１６の周りを囲む位置）に配置して、落下することを防止する形状に形成されている。実施形態では、防護柵２９を、格子状に配置した支柱構造、あるいは、複数の横支柱を幅狭に配置する支柱構造で形成し、足場台１６の側端面部および外側端面部に配置している。もちろん、防護柵２９を枠体状に形成するものではなく、板状に形成して足場台１６の周りを塞ぐようにしてもよい。
【００４５】
なお、ベランダ３の長さが長いものであれば、足場Ｍを複数に並設して構成することができる。この場合、図８に示すように、隣接する床板パネル１６１の端部同士をジョイント部材３０で連結する。ジョイント部材３０は、足場ユニット１の端部に配置される足場台用ステー１５に固着されている。実施形態のジョイント部材３０は、溝形鋼で形成され、足場台用ステー１５上に背中合わせに１対配置されて、それぞれの溝部に各床板パネル１６１の端部を挿入して固着する。
【００４６】
また、所定の階層に設置された足場Ｍは、上下の階層のいずれかに設置された足場Ｍと連結することができる。この場合、図６〜７に示すように、各階層の足場Ｍにおいて、足場台用ステー１５の先端面を掛け渡すように取付け板３１を配置する。取付け板３１の所定位置に複数の筒状部材３２を縦方向に配置する。上下の２階層に渡るように連結支柱３３を筒状部材３２に挿入して２階層の足場Ｍを連結することになる。この際、筒状部材３２の上下に連結支柱３３を挿入可能にすれば、３階層あるいはそれ以上の階層にわたって足場Ｍどうしを連結することができる。
【００４７】
また、図１に示すように、連結支柱３３と並列して、足場台１６上に内部連結支柱３４を設け、複数の連結支柱３３と内部連結支柱３４をそれぞれ横連結支柱３５で連結すれば、足場台１６とベランダ天井壁５との間に、中間足場台３６を設けることができる。なお、中間足場台３６を設置する場合には、図示しない、ステップ足場を、床板パネル１６１上に設置して、中間足場台３６に上りやすいようにしてもよい。ステップ足場は、板部材を段状に配置して組み付けたものであり、これに限定するものでなく、単に高さの異なる台を並設してもよい。
【００４８】
次に、上述のように構成された足場Ｍの組立手順や外壁工事の作業手順について説明する。
【００４９】
まず、作業を行う階層に、分割された複数の単体ユニット１０のそれぞれの部位をエレベータによって運搬する。分割された部位は、胴体部１１、ベース部１２、押圧部１３、足場台用ステー１５、足場台１６が主であり、それに各部位を組み付ける道具や、ボルト・ナット等の締結部材、及び作業を行うための清掃道具等となる。これ等は、全てエレベータに収納できる大きさに形成されている。
【００５０】
上記の部位をベランダ３内に持ち運んだ後、足場Ｍの単体ユニット１０を組み立てる。まず、ベースプレート１２１に４個のアジャスタ１２２を取り付けてベランダ床面４に接地する。この際、ベース部１２をできるだけ室内側に配置して組み付けを行う。これによって、その後の組み付けをベランダ側壁６内でできるようにすることができて安全に作業できることになる。その後、下部胴体部１１１を組み付けてベース部１２上に取り付ける。そして、上部胴体部１１２を組み付けて下部胴体部１１１内に挿入する。
【００５１】
この際、その後の作業において、上部胴体部１１２上に押圧部１３を装着するために、上部胴体部１１２を所定位置より下げた状態で仮止めしておくことが望ましい。
【００５２】
その後、押圧部１３を胴体部１１の上部に取り付ける。この際、アーム２０は、押圧部ベース１７内を摺動してベランダ室外側に突出するようにしておく。この状態で、押圧部１３の主押圧部材２３と副押圧部材２６の上面がベランダ天井壁５に当接しない程度に上部胴体部１１２を上昇させて、適度な位置において下部胴体部１１１にボルト又はピンで仮固定する。
【００５３】
次に、主押圧部材２３を主ジャッキ２１の操作でベランダ天井壁５に軽く押圧させるとともに、副押圧部材２６を回転させてベランダ天井壁５に軽く押圧させて胴体部１１をベランダ３内に仮位置固定させる。
【００５４】
３基の単体ユニット１０における胴体部１１を組み付けた後、３基の胴体部１１を並設して仮位置固定させる。そして、３基の各胴体部１１、詳細には下部胴体部１１１の前後面に架け渡すように横ステー１４を一対取り付ける。この状態で、足場台用ステー１５の一端側を前後一対の横ステー１４に取り付ける。これによって仮組体の単体ユニット１０が３基構成されて仮組体の足場ユニット１が構成される。
【００５５】
この位置においては、足場台用ステー１５の先端は、ベランダ側壁６内に収納されているため、次に足場台１６を３本の足場台用ステー１５上に取り付ける。この際、各足場台用ステー１５には、敷設板１５９を装着し、各敷設板１５９上に角パイプ台１６０を架け渡した後、床板パネル１６１、角パイプ部材１６３及び一対のＬ字状支柱１６２、１６２を架け渡す。さらに、一対のＬ字状支柱１６２、１６２の外側に落下防止用カバー板１６４を取付け、防護柵２９を挿入する。
【００５６】
なお、床板パネル１６１を足場台用ステー１５上に組み付ける際、床板パネル１６１を装着した一対のＬ字状支柱１６２全体を、ベランダ室内側からベランダ室外側に向かって押し込むように組み付ける。この際、ベランダ室外側に配置されたＬ字状支柱１６２と足場台用ステー１５の先端に固着した取付け板３１との間で、ワンタッチ差込み機構を設けてもよい。これによって、ベランダ側壁６付近でボルトで締結することによる作業をなくして、安全な組付作業を行うことができる。
【００５７】
これによって足場Ｍが構成され、押圧部１３のベランダ天井壁５への仮固定を解除して、足場Ｍをベランダ側壁６側に向けて所定の位置に移動させる。そして、押圧部１３のアーム２０の仮固定を解除してアーム２０をベランダ室内側に向けて移動させ、副押圧部材２６を、部屋の外壁付近に設置する。上部胴体部１１２を下部胴体部１１１に固定し、主押圧部材２３と副押圧部材２６とをベランダ天井壁５に押圧して固定する。これによって、足場Ｍがベランダ３の所定の位置に堅固に支持されて配置されることとなる。
【００５８】
なお、中間足場台３６を設置する場合には、足場Ｍが組み込まれているのであれば、足場Ｍのベランダ側壁６側に移動する前であっても、移動後であってもよい。また、上下の階層を連結する連結支柱３３を挿入する場合には、足場Ｍが定位置に移動された後に挿入することになる。
【００５９】
足場Ｍの組付が完了すると、次に、例えば、ベランダ清掃作業を行う。清掃作業を行うにあたって、水洗浄やバイオ洗浄を行うために、清掃作業を行う場所に図示しない防水シートを掛けて水や塗料等の地上への落下防止を図ることが望ましい。
【００６０】
次に、清掃作業を行う。作業者は、足場台１６の床板パネル１６１に上って所定の作業を行う。
【００６１】
床板パネル１６１は、つまりベランダ側壁６の外方に位置しているから、作業者が床板パネル１６１に載ることによって、足場Ｍは、外側に向かう曲げモーメントがかかる。しかし、主押圧部材２３が、ベランダ室内側から室外側に向かって長くなるような面接触でベランダ天井壁５を押し付けているから、ベランダ床面４とベランダ天井壁５とを突っ張るようにして足場Ｍを強固に支持している。そのため、足場Ｍがベランダ側壁６側に傾く虞はほとんどない。
【００６２】
実施形態の足場Ｍを使用して作業する作業内容は、清掃工事の場合、主に、ベランダ側壁６の水洗浄あるいはバイオ洗浄作業を行うものであって、床板パネル１６１の長手方向に沿ってベランダ側壁６の清掃作業を順に行う。ベランダ３の長さが長いものであって、足場Ｍが複数の足場ユニット１を連結している場合では、作業者は複数の足場ユニット１に架け渡された床板パネル１６１の移動範囲内で清掃作業を行う。また、上下にわたって２階層のベランダ３に設置した足場Ｍの場合では、足場Ｍを組み付けた状態で、順に作業を行う。この場合では、２人の作業者が同時に作業を行うこともできる。
【００６３】
床板パネル１６１の高さ位置は、通常の背の高さ（１７０ＣＭ前後）を有する作業者の場合、目の位置が上層階のベランダ側壁６より僅かに上方となるように設定されているから、床板パネル１６１上に載った作業者が作業を容易に行うことができるが、床板パネル１６１上で立ち姿勢では作業できない場合に、中間足場台３６に載って細かな作業を行うこともできる。
【００６４】
所定の場所での作業を終了すると、作業者は足場台１６からベランダ３に移動して足場Ｍを分解する。この場合、第１の押圧部１８の主押圧部材２３と第２の押圧部１９の副押圧部材２６を緩めてベランダ天井壁５との間にわずかな隙間を作り、アーム２０をベランダ室外側に移動させる。そして、足場Ｍをベランダ室内側に向けて、足場台１６がベランダ側壁６内に入るまで移動する。主押圧部材２３及び副押圧部材２６をベランダ天井壁５に仮固定した状態で、足場台１６及び足場台用ステー１５を取外す。そして順に、押圧部１３、胴体部１１、ベース部１２を分解して、エレベータで次の階層まで搬送する。
【００６５】
上述のように、実施形態の足場Ｍでは、胴体部１１、ベース部１２、押圧部１３、足場台用ステー１５を備えて単体ユニット１０が構成され、３基の単体ユニットで足場ユニット１を構成し、足場ユニット１に足場台１６を架け渡すことによって、足場Ｍを移動することができないベランダ３であっても、足場台１６の長さの範囲内でベランダ側壁６の清掃工事や改修工事を行うことができる。したがって、１台の足場で広い範囲の清掃作業や改修作業行うことができることから工期を短縮できて廉価な費用で外壁工事を行うことができる。
【００６６】
また、主押圧部材２３と副押圧部材２６がベランダ室内側からベランダ室外側に沿って並設されるとともに、主押圧部材２３が直方体状に形成されてその長手方向がベランダ室内側からベランダ室外側に沿って延設されているから、単体ユニット１０が傾き難い。しかも、超高層住宅の上層階で作業する際に、突発的なビル風が発生しても、胴体部１１の上面前体に渡って支持されている主押圧部材２３及び副押圧部材２６がベランダ天井壁に面接触可能に押圧することから、単体ユニット１０（足場Ｍ）は、破損することなくベランダ３内で強固に支持されることになり、足場Ｍの落下の虞はほとんどない。
【００６７】
次に、本発明の工事用足場における第２実施形態について図９〜１０に基づいて説明する。第２実施形態の工事用足場は、ベランダ長さが短いものであり、しかも、ベランダ３上で移動可能な場所に設置する場合に好適に使用できるものである。
【００６８】
図９〜１０に示すように、第２実施形態の足場Ｍ１は、第１実施形態の足場Ｍと同様、ベランダ床面４とベランダ天井壁５とを突っ張るように構成される単体ユニット５０を３基並設して１足場ユニット４０を構成し、各足場ユニット４０に足場台５６を架け渡すことにより構成されている。なお、第１実施形態と同様の部位は、同一の符号を付記するものとする。
【００６９】
単体ユニット５０は、胴体部５１と、胴体部５１を間にしてベランダ床面４に当接するベース部５２と、ベランダ天井壁５に当接する押圧部１３とを備えている。また、胴体部５１の上部には、胴体部５１からベランダ側壁６の外方に突出する足場台用ステー５５の一端が配置され、３基の単体ユニット５０の足場台用ステー５５の先端側には、足場台５６が各足場台用ステー５５上を架け渡すように配置されている。
【００７０】
胴体部５１は、下部胴体部５１１と上部胴体部５１２とを備え、上部胴体部５１２は、下部胴体部５１１に挿入可能な大きさに形成されて着脱可能に配置されている。下部胴体部５１１の側面には、上下方向に沿って挿通孔５１１ａが複数個形成され、上部胴体部５１２の側面には、上下方向に沿って挿通孔５１２ａが複数個形成されている。下部胴体部５１１の上端には連結部５１３が配置され、上部胴体部５１２が下部胴体部５１１内に挿入されると連結部５１３で連結される。この際、上部胴体部５１２のいずれかの挿通孔５１２ａが、下部胴体部５１１のいずれかの挿通孔５１１ａと対向して、ボルト又はピンを挿通することによって胴体部５１の高さ位置を設定することになる。
【００７１】
ベース部５２は、ベースプレート５２１とベースプレート５２１から上方に立ち上がる胴体部収納パイプ５２２と、ベースプレート５２１の４隅でベースプレート５２１に螺合するアジャスタ５２３と、ベランダ床面４上を走行可能なキャスタ５２４と、を備えて構成されている。胴体部収納パイプ５２２は、角筒状に形成されて下部胴体部５１１を挿入可能に形成されている。胴体部収納パイプ５２２とベースプレート５２１とは、ベースプレート５２１に補強リブで溶着された受けパイプ部材５２５を介して連結されている。
【００７２】
アジャスタ５２３は、足場Ｍ１が設置されて作業を行うときには、ベランダ床面４に接地され、足場Ｍ１が移動するときには、キャスタ５２４の下面より上昇してベランダ床面４から離隔する。
【００７３】
押圧部１３は、第１実施形態と同様に構成され、胴体部５１の上端部に配置される押圧部ベース１７と、第１の押圧部１８と第２の押圧部１９とを備えている。押圧部ベース１７の直上には、第１の押圧部１８が配置され、第１の押圧部１８よりベランダ室内側に向かって第２の押圧部１９が突出して配置されている。第２の押圧部１９は、押圧部ベース１７に摺動可能に内嵌する角筒状のアーム２０の先端に装着されている。
【００７４】
押圧部ベース１７内に移動可能に配置するアーム２０は第１の実施形態の通りであり、第１の押圧部１８、第２の押圧部１９の構成も第１実施形態の通りである。つまり、第１の押圧部１８は、主ジャッキ２１、コ字状支持体２２、主押圧部材２３を備えている。主押圧部材２３は、ベランダ室内側からベランダ室外側に向かう方向に長い直方体状に形成され、ベランダ天井壁５に対して面接触可能に形成されている。
【００７５】
また、第２の押圧部１９は、雌ねじ部材２５、雄ねじ部２６１を有する副押圧部材２６を備えている。副押圧部材２６は、矩形板状に形成されてベランダ天井壁５に面接触可能に形成されている。
【００７６】
足場台用ステー５５は、角パイプで形成されるとともに、元部に上部胴体部５１２に外嵌する支持パイプ部５５１を備えている。足場台用ステー５５の先端部には、３基の単体ユニット５０の各足場台用ステー５５上を架け渡す足場台５６が載置されている。足場台５６は、足場ユニット４０の両端に配置される２本の足場台用ステー５５にそれぞれ配置された支持シャフト５７、５７に、床板パネル５８の両端部を掛止して配置されている。
【００７７】
各足場ユニット４０の各足場台用ステー５５の先端には、筒状部材５９が配置され、筒状部材５９に第１実施形態と同様の防護柵２９が、足場台５６を囲むように挿入される。
【００７８】
また、隣り合う単体ユニット５０の足場台用ステー５５の側面には、足場台用ステー５５と上部胴体部５１２とに支持された支持ベース板（支持板）６１が配置されている。支持ベース板６１は、枠状に形成され、内部に中空部を有する外枠部６１１と、中空部を前後方向に２分割する仕切り縦枠６１２と、仕切り縦枠６１２の後方部の中空部を上下に２分割する仕切り横枠６１３とを有して形成されている。
【００７９】
外枠部６１１における仕切り縦枠６１２の前方部に形成された底枠部は、階段の踏み台６２を支持する踏み台支持部６１４として形成され、仕切り横枠６１３は、階段踏み台６３を支持する踏み台支持部６１３として形成されている。
【００８０】
階段踏み台６２、６３には、例えば、図示しない脚立やステップ階段等を利用して上ることができ、階段踏み台６２、６３から足場台５６に上ることができる。なお、足場台５６には、階段踏み台６３から足場台５６に移動するための開閉ドア５６１が配置されている。
【００８１】
なお、図９〜１０に示すように、単体ユニット５０を補強するために、胴体部５１における下部胴体部５１１と押圧部１３におけるアーム２０の先端部とを連結するように補強アーム６５が配置されている。補強アーム６５の一端は、下部胴体部５１１におけるいずれかの挿通孔５１１ａに止着され、補強アーム６５の他端は、アーム２０におけるいずれかの挿通孔２０１に止着されている。補強アーム６５は、アーム２０が移動可能に配置されているため、伸縮可能に構成されている。
【００８２】
上記のように構成された第２実施形態の足場Ｍ１は、ベランダ３の長さによって、複数台設置することができる。そして、この足場Ｍ１の組立手順及び作業手順は、第１実施形態の足場Ｍと原則的に同一である。但し、足場Ｍ１には、キャスタ５２４が装着されていることから、第１実施形態と異なり、所定の箇所での作業を終了すると、キャスタ５２４をベランダ床面４に沿って移動して次の作業を行うことになる。
【００８３】
上述のように、第２実施形態の足場Ｍ１は、３基の単体ユニット５０で１足場ユニット４０を構成し、各足場台用ステー５５に足場台５６を架け渡すことによって構成されている。そのため第１実施形態と同様に、ベランダ３内で足場Ｍ１を組み付けて作業をすることができる。また、足場Ｍ１は、走行可能に構成されているから、１台の足場で広い範囲の清掃作業や改修作業行うことができる。そのため、工期を短縮できて廉価な費用で外壁工事を行うことができる。
【００８４】
また、主押圧部材２３と副押圧部材２６がベランダ室内側からベランダ室外側に沿って並設されるとともに、主押圧部材２３が直方体状に形成されてその長手方向がベランダ室内側からベランダ室外側に沿って延設されているから、単体ユニット５０が傾き難い。しかも、超高層住宅の上層階で作業する際に、突発的なビル風が発生しても、主押圧部材２３及び副押圧部材２６がベランダ天井壁に面接触可能に押圧することから、単体ユニット５０（足場Ｍ１）は、破損することなくベランダ３内で強固に支持されることになり、足場Ｍ１の落下の虞はほとんどない。
【００８５】
また、実施形態の足場Ｍ１における胴体部５１の構成が、角パイプで構成されていても、ベース部５２と胴体部５１の上面全体にわたって支持されている押圧部１３で堅固に支持されているから、単体ユニット５０が傾く虞はない。さらに、足場台用ステー５５が角パイプで構成されるものであっても、足場台用ステー５５の元部に上部胴体部５１２に外嵌する支持パイプ部５５１を備えていることから、足場台用ステー５５が胴体部５１から傾いて落下する虞がない。
【図面の簡単な説明】
【００８６】
【図１】本発明における第１実施形態の足場の全体斜視図である。
【図２】同正面図である。
【図３】図１における足場の下部胴体部周りの詳細を示す斜視図である。
【図４】図１における足場の押圧部を示す一部分解正面図である。
【図５】図１における足場の押圧部を示す側面組付図である。
【図６】図１における足場台周りを示す正面図である。
【図７】図１における足場台周りに配置する防護柵の配置状態を示す一部分解側面図である。
【図８】図１における足場台の連結状態を示す一部側面断面図である。
【図９】本発明の第２実施形態の足場の全体斜視図である。
【図１０】同正面図である。
【符号の説明】
【００８７】
Ｍ、足場
１、足場ユニット
３、ベランダ
４、ベランダ床面
５、ベランダ天井壁
６、ベランダ側壁
１０、単体ユニット
１１、胴体部
１１１、下部胴体部
１１２、上部胴体部
１２、ベース部
１３、押圧部
１４、横ステー
１５、足場台用ステー
１６、足場台
１６１、床板パネル
１６２、落下防止用カバー板
１７、押圧部ベース
１８、第１の押圧部
１９、第２の押圧部
２０、アーム
２１、主ジャッキ
２３、主押圧部材
２６、副押圧部材
２９、防護柵
３０、ジョイント部材
Ｍ１、足場
４０、足場ユニット
５０、単体ユニット
５１、胴体部
５１１、下部胴体部
５１２、上部胴体部
５２、ベース部
５２４、キャスタ
５５、足場台用ステー
５５１、支持パイプ部
５６、足場台
５８、床板パネル
６１、支持ベース板
６２、階段踏み台
６３、階段踏み台
６５、補強アーム
【図１】
2010133154.tif 000003
【図２】
2010133154.tif 000004
【図３】
2010133154.tif 000005
【図４】
2010133154.tif 000006
【図５】
2010133154.tif 000007
【図６】
2010133154.tif 000008
【図７】
2010133154.tif 000009
【図８】
2010133154.tif 000010
【図９】
2010133154.tif 000011
【図１０】
2010133154.tif 000012